(57)【特許請求の範囲】
【請求項１】
ケーシング内に、撃発カムに係脱して撃発機構を作動させるシア部、当該シア部の前記撃発カムへの係止を解除させて撃発動作させる引金と、撃発準備状態における前記引金の操作を禁止する安全子を備えた安全装置とを備え、銃身後部に配置したボルトを操作して弾薬を前方の銃身内へ装填するボルトアクション銃の引金機構であって、
前記シア部をそれぞれ回動軸を中心に揺動可能な第１シアと第２シアとの２部材で構成して、前記第１シアの下方に前記第２シア及び前記引金を配置すると共に、前記安全子は前記第１シアの回動を規制するよう配置し、
前記第１シアは下端に前記第２シアに係合する鋭角な下部突起を有し、前記引金は前記下部突起に向かって前方且つ上方へ延設した腕部を有すると共に、前記第２シアは引金前方であって回動軸の上方で前記腕部と係合するレバー部を有し、
更に前記第２シアは、当該レバー部の上端に前記下部突起に係止する係止部を有して、当該係止部が弾薬装填時に前記下部突起の前方への回動を規制する凸状部と、下部突起の後方への回動を規制する保持面とで構成され、
前記引金を引くことで前記腕部が前記第２シアを押圧し、第２シアと第１シアとの係止状態が外れて撃発動作することを特徴とするボルトアクション銃の引金機構。
【請求項２】
前記引金の腕部上端は、前記第２シアの保持面に近接する後部に位置して鋭角な端部を有し、
前記鋭角な端部が、撃発準備状態において前記下部突起と前記保持面との係止が外れて前記第１シアが後方へ回動を開始した際に、前記下部突起を係止して回動を阻止するブロック部であり、
前記引金を引くことで、前記ブロック部の作用が解除されて撃発動作することを特徴とする請求項１記載のボルトアクション銃の引金機構。
【請求項３】
前記第１シア、前記第２シア、前記引金のそれぞれの最大厚を全て同一とし、更に前記引金の腕部先端部と前記第２シアのレバー部とが薄く形成されて、前記引金の腕部先端部と前記第２シアのレバー部とを重なり合うように配置し、重なり合った前記引金の腕部先端部と前記第２シアのレバー部とは、前記引金の腕部面に形成された押圧部と、前記第２シアのレバー部に有する当接部とが係合し、前記押圧部で前記当接部を押圧し、前記引金の腕部先端部と前記第２シアのレバー部とが重なり合う厚みも引金の厚みと同一であることを特徴とする請求項１又は２記載のボルトアクション銃の引金機構。
【発明の詳細な説明】
【技術分野】
【０００１】
本発明は、ボルトアクション銃の引金機構に関し、詳しくはシアと引金の係合構造の改良に関する。
【背景技術】
【０００２】
狩猟用のライフル銃に代表されるボルトアクション銃の引金機構は、ボルトをレバー操作により回動〜スライドして弾薬を前方の銃身内に装填し、安全装置を解除すればトリガ（引金）が操作可能となるよう構成されている。尚、安全装置は操作レバーによる安全子の係脱で引金の操作を規制するよう構成されている。
【０００３】
例えば特許文献１では、図８の断面説明図に示すように引金機構が構成されている。図８において、３１は尾筒、３２は図示しないレバーの操作により尾筒３１内で回動且つスライドさせて弾薬を装填／排出するボルト、３３は遊底スリーブ、３５は安全装置を構成する安全子、３７は引金、３８は引金機構のケーシング、４０は撃針、４１は撃発カム、４２はケーシング３８とこのケーシング３８内に軸支されて撃発カム４１の動作を規制するシアであり、引金３７とシア４２で引金機構が成されている。
このように構成されたボルトアクション銃は、安全装置を解除した撃発準備状態において引金３７を引くと、引金３７の上部が前方に揺動してシア４２の下面との係合を脱して撃発するよう構成されている。
【０００４】
また、ボルトアクション銃の引金機構の他の構成として非特許文献２に示すようにシアを２つ設けた構成がある。非特許文献２では、シアを主シアと補助シアの２段で構成し、引金上部で不慮の撃発を防止するよう構成されている。
【先行技術文献】
【特許文献】
【０００５】
【特許文献１】特開２００４−３０８９２９号公報
【非特許文献】
【０００６】
【非特許文献１】Ｓａｋｏ社マニュアル  ＳＡＫＯ  ＴＲＧ−２２／４２  ｐ．６  ［平成２４年１月２６日検索］インターネット          ＜ＵＲＬ：http://www.sako.fi/sakotrgmodels.php?trg22＞
【発明の概要】
【発明が解決しようとする課題】
【０００７】
引金の操作感は命中精度に影響を及ぼし易いため、上記特許文献１の構成の場合、図８に示すように引金３７上端を所定の角度Ｆに面取りを施して、引金３７の上端とシア４２下面との係合代Ｅを少なくすると共に、例えば砥石を使用したラッピングを行って、面取り部の面粗度を向上させて摩擦抵抗を低減し、操作感を向上させた。
また、安全装置の安全子３５の外径と引金３７の上腕前端面の隙間Ｇが極力小さくなるように調整され、その時の係合代Ｅが所定の範囲になるように面取り量を決定していた。なお係合代Ｅは、撃発準備状態における落下テストや物への衝突による衝撃テストなどを繰り返して不慮の撃発が起きない範囲とした。
【０００８】
しかしながら、一般的に引金３７の操作感と安全性は表裏一体の関係にあり、操作感向上因子が、面取り量の調整とその面粗度という不安定な要素であるため、係合状態のバラツキが発生する可能性が高かったし、想定外の使用をされた場合や、摩耗等による係合代Ｅの経年変化により、不慮の撃発による爆発の危険を完全に取り除くことは困難であった。
【０００９】
一方非特許文献１は、シアを２つ設けることで安全性を高めているが、撃発準備状態において引金と主シアとが当接状態にあるため、作動時の抵抗が大きく引金のスムーズな操作感を維持することが難しく、部品精度や細かい調整が必要となっている。
また、この引金機構は、撃発防止のために引金がシアを支える位置（ブロック位置）が、主シアと補助シアの接触位置とは異なる位置であるため、引金機構が前後方向に長くなり重量が増加する傾向にある。更に、安全装置は安全子の係脱で補助シアの動作を規制するので、従来のように主シアや引金を直接規制する方式に比べて部品数が多く、その分不安定要素が増えた。
【００１０】
そこで、本発明はこのような問題点に鑑み、高い安全性と引金の操作感の向上とを両立できるボルトアクション銃の引金機構を提供することを目的としている。
【課題を解決するための手段】
【００１１】
上記課題を解決する為に、請求項１の発明は、ケーシング内に、撃発カムに係脱して撃発機構を作動させるシア部、当該シア部の前記撃発カムへの係止を解除させて撃発動作させる引金と、撃発準備状態における前記引金の操作を禁止する安全子を備えた安全装置とを備え、銃身後部に配置したボルトを操作して弾薬を前方の銃身内へ装填するボルトアクション銃の引金機構であって、前記シア部をそれぞれ回動軸を中心に揺動可能な第１シアと第２シアとの２部材で構成して、前記第１シアの下方に前記第２シア及び前記引金を配置すると共に、前記安全子は前記第１シアの回動を規制するよう配置し、前記第１シアは下端に前記第２シアに係合する鋭角な下部突起を有し、前記引金は前記下部突起に向かって前方且つ上方へ延設した腕部を有すると共に、前記第２シアは引金前方であって回動軸の上方で前記腕部と係合するレバー部を有し、更に前記第２シアは、当該レバー部の上端に前記下部突起に係止する係止部を有して、当該係止部が弾薬装填時に前記下部突起の前方への回動を規制する凸状部と、下部突起の後方への回動を規制する保持面とで構成され、
前記引金を引くことで前記腕部が前記第２シアを押圧し、第２シアと第１シアとの係止状態が外れて撃発することを特徴とする。
この構成によれば、引金を前方に設けた第２シアに係合させて、安全子の係脱で直接第１シアの動作を規制している。よって、従来のように安全子の係脱で引金を規制しないため、安全装置の動作をより確実にできる。
また、撃発準備状態において第１シアを第２シアの凸状部と保持面とから成る係止部が係止し、第２シアの背部が引金に係合することで、安定した係止及び係合状態を簡易な構成で維持でき、２つのシアでシア部を構成しても精度の高い研磨作業等を必要とせずに引金の良好な操作感を得ることが可能となる。
【００１２】
請求項２の発明は、請求項１に記載の構成において、前記引金の腕部上端は、前記第２シアの保持面に近接する後部に位置して鋭角な端部を有し、前記鋭角な端部が、撃発準備状態において前記下部突起と前記保持面との係止が外れて前記第１シアが後方へ回動を開始した際に、前記下部突起を係止して回動を阻止するブロック部であり、前記引金を引くことで、前記ブロック部の作用が解除されて撃発動作することを特徴とする。
この構成によれば、マニュアル操作により安全子を外す安全装置を第１安全装置とするなら、引金のブロック部は自動の第２安全装置として機能する。よって、撃発準備状態における不慮の撃発を防止できる。
【００１３】
請求項３の発明は、請求項１又は２に記載の構成において前記第１シア、前記第２シア、前記引金のそれぞれの最大厚を全て同一とし、更に前記引金の腕部先端部と前記第２シアのレバー部とが薄く形成されて、前記引金の腕部先端部と前記第２シアのレバー部とを重なり合うように配置し、重なり合った前記引金の腕部先端部と前記第２シアのレバー部とは、前記引金の腕部面に形成された押圧部と、前記第２シアのレバー部に有する当接部とが係合し、前記押圧部で前記当接部を押圧し、前記引金の腕部先端部と前記第２シアのレバー部とが重なり合う厚みも引金の厚みと同一であることを特徴とする。
この構成によれば、第１シア、第２シア、引金、更に引金と第２シアの重なり部の全てを同一の厚みで形成でき、引金機構のケーシング厚みを抑え、銃を軽量コンパクトにできる。
【発明の効果】
【００１４】
本発明によれば、引金を前方に設けた第２シアに係合させて、安全子の係脱で直接第１シアの動作を規制している。よって、従来のように安全子の係脱で引金を規制しないため、安全装置の動作をより確実にできる。
また、撃発準備状態において第１シアを第２シアの凸状部と保持面とから成る係止部が係止し、第２シアの背部が引金に係合することで、安定した係止及び係合状態を簡易な構成で維持でき、２つのシアでシア部を構成しても精度の高い研磨作業等を必要とせずに引金の良好な操作感を得ることが可能となる。
【図面の簡単な説明】
【００１５】
【図１】本発明に係る引金機構の一例を示すボルトアクション銃の部分側面図である。
【図２】図１のＡ矢視図である。
【図３】図２のＹ−Ｙ線断面図であり、引金機構の説明図で一部を拡大して示している。
【図４】引金機構の状態説明図であり、（ａ）は撃発準備状態、（ｂ）はシアブロック状態、（ｃ）は撃発直後状態を示している。
【図５】図４のＢ矢視図である。
【図６】図５のＣ矢視図である。
【図７】図６のＤ矢視図である。
【図８】従来の引金機構を示すボルトアクション銃の部分断面説明図であり、一部を拡大して示している。
【発明を実施するための形態】
【００１６】
以下、本発明を具体化した実施の形態を、図面を参照して詳細に説明する。図１〜図３は本発明に係るボルトアクション銃の引金機構の一例を示し、図１はボルトアクション銃の部分側面図、図２はＡ矢視図であり後方から見た図、図３は図２のＹ−Ｙ線断面である。図１、図２において、１は銃身後部に取り付けられる尾筒、２は尾筒１内で回動且つスライドして弾薬を装填／排出するボルト、３は遊底スリーブ、４はボルト操作レバー、５は安全装置、６は安全装置操作レバー、７は引金、８は後述する引金機構のケーシングであり、図示右方向が前方であり銃身方向となっている。
【００１７】
また図３において、１０は撃針、１１は撃針１０を保持する撃発カム、１２は撃針１０と撃発カム１１を前方へ付勢する撃針バネ、１３はマニュアル操作により解除される安全子であり、尾筒１、ボルト２、遊底スリーブ３、撃針１０、撃発カム１１、撃針バネ１２で撃発機構を構成し、尾筒１下面に固定されるケーシング８と、このケーシング８内に軸支されて撃発カム１１の前方への動作を規制するシア部１４と、引金７と、これらを付勢する各種コイルバネ１６（１６ａ，１６ｂ，１６ｃ）とで引金機構を構成している。
【００１８】
シア部１４は、第１シア２０と、第２シア２１との２部材で構成されている。第１シア２０は撃発カム１１の下部に配置され、この第１シア２０の下方に引金７が配置されて、第１シア２０の下方であって引金７の前方に第２シア２１が配置されている。
第１シア２０は、軸２０ａを中心に揺動自在に組み付けられ、上部に撃発カム１１に係止する上部突起２０ｂを有し、安全装置を解除した撃発準備状態において撃発カム１１に係止することで、撃針１０の作動（前進）を禁止させる。また、下部には第２シア２１に係合する下部突起２０ｃが設けられている。
【００１９】
一方、第２シア２１は、軸２１ａを中心に揺動自在に設けられ、引金７の回動軸７ａ近傍に揺動支点となる軸２１ａを配置し、揺動自在に設けられている。そして、この軸２１ａ上部に延びるレバー部２１ｂを有し、その後面に引金７の腕部７ｂの腕部面に形成された押圧部７ｅ（図６に示す）と係合する当接部２１ｃ（図６に示す）を有している。更に、上部に第１シア２０に係止する係止部２１ｄが形成されている。
【００２０】
引金７は、回動軸７ａを揺動支点として、回動軸７ａの上部に第１シア２０の下部突起２０ｃに向かって前方且つ上方に延びた腕部７ｂが形成されている。この腕部７ｂの上端は、図３の拡大図に示すように後述する保持面２１ｆに近接する後方に鋭角な端部７ｄを有し、その後面となる図示左側には円弧状に形成した湾曲面７ｃが形成されている。
【００２１】
また図３に示すように、第２シア２１の係止部２１ｄは、ボルト操作レバー４の操作時に、即ち弾薬装填時に第１シア２０の下突起部２０ｃが上方へ回動（図３における左回転）するのを規制する凸状部２１ｅと、撃発準備状態において第１シア２０の下部突起２０ｃが下方へ回動（図３における右回転）するのを規制する保持面２１ｆとを備えている。この規制作用により、撃発準備状態が保持される。
【００２２】
撃発準備状態では、第１シア２０と第２シア２１、及び第２シア２１と引金７がそれぞれ当接状態にあり、引金７と第１シア２０は離間状態にある。このとき、第１シア２０は下部に設置されたコイルバネ１６ａにより左回りに揺動するように押されて上部突起２０ｂにより前方へ付勢されている撃発カム１１を係止し、撃発カム１１に保持された撃針１０の前方への動作を規制する。第２シア２１及び引金７は前方からそれぞれコイルバネ１６ｂ，１６ｃで押圧されている。これにより、従来の構成による係合状態の不安定要素とバラツキを改善し、安定した係合状態を得ることができる。
【００２３】
次に、上記構成の引金機構の動作を図４を参照して説明する。図４は引金機構の状態説明図であり、（ａ）は撃発準備状態、（ｂ）はシアブロック状態、（ｃ）は撃発直後状態を示している。
図４（ａ）の撃発準備状態において引金７を引くと、その押圧部７ｅが第２シア２１の当接部２１ｃを押圧して第２シア２１による第１シア２０の保持が外れて第１シア２０が回動落下する。この結果、上部突起２０ｂから成るストッパが外れて図４（ｃ）の状態となり撃発する。尚、保持面２１ｆから外れた第１シア２０の下部突起２０ｃは、引金７の腕部７ｂ背面の湾曲面７ｃにより引金７との干渉が防止され、速やか且つ滑らかに揺動する。
【００２４】
また、撃発準備状態において、衝撃などで第２シア２１が動いたりして第１シア２０が保持面２１ｆから脱落したとしても、図４（ｂ）に示すように第１シア２０を腕部７ｂの端部７ｄ近傍の先端面でブロックするため、引金７を引いていない状態での不慮の撃発を防ぐことができる。よって、引金７の腕部７ｂは、マニュアル操作による安全子１３を解除操作する安全装置を第１安全装置とするなら、自動の第２安全装置として機能する。
尚、図４（ｂ）のシアブロック状態から引金７を引けば、第１シア２０の下部突起２０ｃの鋭角形状部を引金７の鋭角な端部７ｄが乗り越えて撃発動作する。
【００２５】
このように、引金７の前方に第２シア２１を設けることで、従来のように安全子１３の係脱で引金７を規制せず、安全子１３の係脱で直接第１シア２０の動作を規制する。よって、安全装置の動作がより確実になる。
また、撃発準備状態において第１シア２０を第２シア２１の凸状部２１ｅと保持面２１ｆとから成る係止部２１ｄが係止し、第２シア２１の背部が引金７に係合することで、安定した係止及び係合状態を簡易な構成で維持でき、２つのシアでシア部を構成しても精度の高い研磨作業等を必要とせずに引金７の良好な操作感を得ることが可能となる。
更に、マニュアル操作により安全子を外す安全装置を第１安全装置とするなら、引金７の矩形な端部７ｄにより形成されるブロック部は自動の第２安全装置として機能する。よって、撃発準備状態における不慮の撃発を防止できる。
【００２６】
次に、引金７とシア部１４の形状を説明する。図５は図４のＢ矢視図で第１シア２０を省略してある。図６は図５のＣ矢視図、図７は図６のＤ矢視図であり、これらの図を参照して説明する。
図５、図７に示すように、シア部１４を構成する第１シア２０及び第２シア２１と、引金７とを合わせた厚みＴは上下に亘り一様であり、同一の幅で形成されている。引金７の腕部７ｂの厚みＴ１と、第２シア２１のレバー部２１ｂの厚みＴ２とは、それぞれ幅方向（図５の左右方向）に重なり合って動作できるように、互いに幅方向の一部を削り込んで薄く形成され、Ｔ１＋Ｔ２が引金７の厚みＴに等しくなるよう形成されている。そして、図６に示すように、引金７と第２シアが重なり合うように配置され、腕部７ｂの幅方向中央面に第２シア２１の当接部２１ｃと、当接部２１ｃに係合する押圧部７ｅとが設けられている。
【００２７】
このように、引金７がシア部１４を支える位置を略同じ位置とし、引金７と第２シア２１を幅方向に重なり合うように構成したことにより、ケーシング８の厚みを抑え、銃を軽量コンパクトにできる。
【００２８】
尚、上記引金機構は、ボルトアクション銃でなくとも適用する事ができ、模擬銃、玩具銃、モデルガン、エアガンにも適用できるものである。
【符号の説明】
【００２９】
１・・尾筒、２・・ボルト、４・・ボルト操作レバー、５・・安全装置、６・・安全装置操作レバー、７・・引金、７ｂ・・腕部、７ｄ・・端部、７ｅ・・押圧部、８・・引金機構ケーシング、１０・・撃針、１１・・撃発カム、１３・・安全子、１４・・シア部、２０・・第１シア、２０ｃ・・下部突起、２１・・第２シア、２１ｂ・・レバー部、２１ｄ・・係止部、２１ｅ・・凸状部、２１ｆ・・保持面。
【図１】
0005935371.tif 000002
【図２】
0005935371.tif 000003
【図３】
0005935371.tif 000004
【図４】
0005935371.tif 000005
【図５】
0005935371.tif 000006
【図６】
0005935371.tif 000007
【図７】
0005935371.tif 000008
【図８】
0005935371.tif 000009